(57)【要約】【課題】シャワー吐出の場合、着地面の中央部に水が当たらないことがあり、洗浄作用が低い場合がある。【解決手段】多数の散水孔１１…を備え、これら散水孔１１…より放出される噴射水が全体としてシャワー水となるようにした散水板１０において、中心寄りに多数の散水孔を環状に配列した散水孔列１２を設け、この中心寄りの環状散水孔列１２より噴射される噴射水が散水板の中心線Ｏ−Ｏに向かうようにした。これにより着地面の中央部にも水が当たり、洗浄効果が向上する。【選択図】    図５
2004230360.tif 000002
【特許請求の範囲】
【請求項１】
多数の散水孔を備え、これら散水孔より放出される噴射水が全体としてシャワー水となるようにした散水板において、一部の散水孔より噴射される噴射水が散水板の中心線に向けて噴射されるようにしたことを特徴とする散水板。
【請求項２】
多数の散水孔を備え、これら散水孔より放出される噴射水が全体としてシャワー水となるようにした散水板において、中心寄りに多数の散水孔を環状に配列した散水孔列を設け、この中心寄りの環状散水孔列より噴射される噴射水が散水板の中心線に向けて噴射されるようにしたことを特徴とする散水板。
【請求項３】
上記中心寄りの環状散水孔列の外側に径方向に離れて２列以上の環状散水孔列を設けたことを特徴とする請求項２に記載の散水板。
【請求項４】
散水板がステンレス製薄板からなり、散水孔の大きさが０．３ｍｍ以下であって総開口面積が２０．０ｍｍ２以下とされており、これら散水孔がエッチング加工にて形成されていることを特徴とする請求項１ないし請求項３にいずれか一に記載の散水板。
【請求項５】
水道蛇口に接続され、下面にストレート吐出口およびこの吐出口の周囲に環状のシャワー散水板を設けた浄水器において、
上記シャワー散水板は多数の散水孔を備え、これら散水孔から噴射される噴射水が全体としてシャワー水となるようにし、かつこのシャワー散水板の中心寄りに多数の散水孔を環状に配列してなる散水孔列を形成し、この中心寄りの環状散水孔列より噴射される噴射水が散水板の中心線に向けて噴射されるようにしたことを特徴とする浄水器。
【請求項６】
シャワー散水板は、中心寄りの環状散水孔列の外側に径方向に離れて２列以上の環状散水孔列を設けたことを特徴とする請求項５に記載の浄水器。
【請求項７】
散水板は、中央部分にストレート散水孔群を設けるとともにこのストレート散水孔群の外周部にシャワー散水孔群を設けた一体品であり、上記シャワー散水孔群が上記請求項５または請求項６に記載のシャワー散水板の構造をなしていることを特徴とする浄水器。
【請求項８】
散水板がステンレス製薄板からなり、散水孔の大きさが０．３ｍｍ以下であって総開口面積が２０．０ｍｍ２以下にされており、これら散水孔がエッチング加工にて形成されていることを特徴とする請求項５ないし請求項７のいずれか一に記載の浄水器。
【発明の詳細な説明】
【０００１】
【発明の属する技術分野】
本発明は、例えば家庭用浄水器等において使用されているシャワー水を噴射する散水板にあって、この散水板から噴射されるシャワー水の噴射パターンを改良した散水板およびこれを用いた浄水器に関する。
【０００２】
【従来の技術】
【特許文献１】特開平７−１１６６５７号公報
例えば蛇口直結型浄水器は、特開平７−１１６６５７号公報等に示される通り、浄水器本体を水道蛇口に取り付け、この蛇口から導入した水道水、つまり原水を切換弁にて切り換えて上記浄水器本体の下面に開口したストレート吐出口又はシャワー吐出口より吐出させるとともに、上記本体の側部にフィルターカートリッジ等の塩素除去機能等を備える浄化部を連結し、上記切換弁の切り換えによって原水を浄化部に導き、ここで浄化された浄水を浄水吐出口より吐出する構造になっている。
この場合、ストレート吐出口は被洗浄物に対する洗浄効果を高めるために集中的に水を噴射するべく所定の大きさに開口されており、これに対しシャワー吐出口は上記ストレート吐出口を囲むようにして環状に開口されているとともに、ここに環状の散水板を取り付け、この散水板からシャワー水を放出するようになっている。このシャワー散水板は、被洗浄物の広い面積に対して水が当たるように噴射水が広がるように工夫されている。
【０００３】
【発明が解決しようとする課題】
上記のような浄水器においては、中心部にストレート吐出口を開設してあるためその周囲に設けられたシャワー散水板はドーナツ形をなしており、このシャワー散水板より噴射されるシャワー水は、上記ストレート水が当たる箇所を避けて環状に噴射されるようになっている。したがって、シャワー水は被洗浄物の着地面に対し、着地面の中心部ではシャワー水が当たらない状態になっている。
本来、シャワー水は被洗浄物の広い面に水を当てて洗浄効果を発揮するためのものであるにも拘わらず、着地の中心部分に水が当たらない状況は、洗浄効果を低下させることになる。
本発明はこのような事情にもとづきなされたもので、その目的とするところは、シャワー散水板より噴射されるシャワー水が、着地面の中心部分にも当たるようにし、洗浄効果を高めることができる散水板およびこれを用いた浄水器を提供しようとするものである。
【０００４】
【課題を解決するための手段】
上記目的を達成するため請求項１の発明は、多数の散水孔を備え、これら散水孔より放出される噴射水が全体としてシャワー水となるようにした散水板において、一部の散水孔より噴射される噴射水が散水板の中心線に向けて噴射されるようにした散水板が提供される。
また、請求項２の発明は、多数の散水孔を備え、これら散水孔より放出される噴射水が全体としてシャワー水となるようにした散水板において、中心寄りに多数の散水孔を環状に配列した散水孔列を設け、この中心寄りの環状散水孔列より噴射される噴射水が散水板の中心線に向けて噴射されるようにした散水板が提供される。
これらの構成によれば、散水板の散水孔より噴射される噴射水の一部が散水板の中心線に向けて噴射されるようにしたので、着地面の中心部にも水が当たるようになり、よって広い面積に亘って噴射されるので洗浄効果が高くなる。
【０００５】
本発明における好ましい態様は、中心寄りの環状散水孔列の外側に径方向に離れて２列以上の環状散水孔列を形成した散水板が提供される。
多数の散水孔を形成した場合、総開口面積を絞ると、各散水孔より噴射される水の勢いが強くなり、その分洗浄効果が高くなるが、水が被洗浄面にぶつかって跳ね返りが発生し、周囲に飛び跳ねることがある。これに対し、本態様によれば、径方向に離れて２列以上の環状散水孔列を設けたので、これら外側の環状散水孔列から噴射されるシャワー水が水のカーテンを作るとともに、着地面において中央部から外に向かって流出する水の流れを抑制して水の障壁を作り、このため噴射水の着地面に水溜りを作る。このため噴射水は溜まった水にぶつかることになるので、溜まった水により衝突エネルギーが吸収され、よって跳ね返りが抑制される。
なお、請求項１ないし請求項４の散水板は、後述する浄水器に使用可能であるばかりでなく、シャワーヘッドのシャワー散水板にも使用可能である。
【０００６】
請求項５の発明は、請求項２の発明を浄水器に適用したものであり、すなわち、水道蛇口に接続され、下面にストレート吐出口およびこの吐出口の周囲に環状のシャワー散水板を設けた浄水器において、上記シャワー散水板は、多数の散水孔を備え、これら散水孔より放出される噴射水が全体としてシャワー水となるようにし、かつ中心寄りに多数の散水孔を環状に配列した散水孔列を設け、この中心寄りの環状散水孔列より噴射される噴射水が散水板の中心線に向かうようにした浄水器が提供される。
このような構成によれば、中央部にストレート吐出口があっても、シャワー散水板の中心寄りの環状散水孔列から噴射される噴射水が散水板の中心線に向かうので、着地面の中心部にも水が当たるようになり、よって広い面積に水が当たるからシャワー吐出時の洗浄効果が高くなる。
【０００７】
この発明の好ましい態様は、シャワー散水板の上記中心寄りの環状散水孔列の外側に、互いに径方向に離れて２列以上の環状散水孔列を設けた浄水器が提供される。
この場合も、中心寄りの環状散水孔列の外側に、互いに径方向に離れて２列以上の環状散水孔列を設けたので、これら外側の環状散水孔列から噴射されるシャワー水が水のカーテンを作るとともに、着地面では中央部から外に向かって流出する水を抑制して水の障壁を作り、これにより着地面に水溜りを作る。よって、噴射水は上記溜まった水にぶつかることになって衝突エネルギーが吸収され、跳ね返りが抑制される。
【０００８】
さらに他の好ましい態様は、散水板がステンレス製薄板からなり、散水孔の大きさが０．３ｍｍ以下であって、総開口面積は２０．０ｍｍ２以下に形成されており、これら散水孔がエッチング加工にて形成されていることである。
散水孔の大きさを０．３ｍｍ以下の小孔にして総開口面積を２０．０ｍｍ２以下にすると、各散水孔から噴射される水の噴射速度が速くなり、勢いが増して洗浄効果が向上する。そして、このような小孔は、散水板をステンレス製薄板で作り、小孔をエッチング加工にて形成すれば実現できる。
【０００９】
【発明の実施の形態】
以下本発明について、一実施例を図面にもとづき説明する。図１は蛇口直結型浄水器の概略的構成図、図２はストレート吐出口及びシャワー吐出口を拡大した断面図、図３は散水板の平面図、図４はストレート吐出射状態を示す図、図５はシャワー吐出状態を示す図である。
図において、１は浄水器の本体であり、２は上記本体１の側方に連設された浄化部である。
浄化部２は水道水を浄化する箇所であり、例えば周知の通り、内部にフィルターカートリッジ３を脱着可能に収容しており、このカートリッジ３に水道原水を通したときフィルターが水道水に含まれる臭い成分、汚れ成分、残留塩素、トリハロメタン等を吸着濾過して浄化する作用を奏する。なお、フィルターとしては、活性炭、中空糸膜、不織布、セラミックス、逆浸透膜などが知られている。また、この浄化部２としては、上記フィルターによる物理的吸着の他に、イオン交換樹脂などの媒体を用いる方式であってもよく、またはアスコルビン酸（ビタミンＣ）を原水に混ぜることによって残留塩素を中和する化学反応的浄化手段を用いた浄水方式であってもよい。そして、カートリッジ３の性能が落ちた場合は、このカートリッジ３を交換できるようになっている。
【００１０】
上記浄水器本体１は、取付具４を介して水道蛇口５に連結されており、水道蛇口５から供給される水道水（原水）を導入するようになっている。この浄水器本体１には切換弁６が内蔵されており、切換弁６の構造については詳細な説明を省略するが、操作ハンドル７により外部から操作できるようになっている。この場合、切換弁６は後で説明するように、４通りの切換が可能になっている。
浄水器本体１の下面には、図２に断面して示すように、ストレート吐出口８とシャワー吐出口９が形成されている。ストレート吐出口８は、切換弁６を通って送られてきた水をストレート状に吐出する出口であり、円形に開口している。シャワー吐出口９は、切換弁６を通って送られてきた水を、拡散して吐出するための出口であり、上記ストレート吐出口８を囲んで環状に開口している。
これらストレート吐出口８およびシャワー吐出口９には、散水板１０が取り付けられている。本例の散水板１０はストレート吐出口８とシャワー吐出口９の両者に亘って取り付けられた一体の円板プレートから構成されている。この散水板１０は、厚さ０．２ｍｍないし０．５ｍｍのステンレス製薄板に孔径０．１５ｍｍないし０．３ｍｍの散水孔１１…をフォトエッチング加工により多数個形成したもので、具体的には板厚０．２ｍｍ、直径５０ｍｍのステンレス製薄板に、例えば直径０．２ｍｍの散水孔１１…を多数個形成したものである。
【００１１】
この場合、散水孔１１…は、図３に示すような配置パターンで形成されている。このパターンを説明すると、想像線で示された後述する係止リング１６で囲まれた内側の領域にストレート散水孔群Ａが形成されているとともに、係止リング１６の外側に位置するドーナツ状の領域にシャワー散水孔群Ｂが形成されている。
ストレート散水孔群Ａは前記ストレート吐出口８に対向するもので、これらストレート散水孔群Ａの総開口面積は２０．０ｍｍ２以下に形成されており、具体的には直径１５ｍｍの円の中に、直径０．２ｍｍの小孔を合計４００個、ほぼ均等な間隔で分散して開設してある。この場合の総開口面積は１２．５６ｍｍ２となっている。そして、これらストレート散水孔群Ａの散水孔１１…は、これら孔を通って流れる水が全て真下に向かうように形成されている。
一方、シャワー散水孔群Ｂは前記シャワー吐出口９と対向するものであり、これらシャワー散水孔群Ｂも総開口面積が２０．０ｍｍ２以下に形成されており、例えば直径０．２ｍｍの小孔を合計４００個開設してある。この場合の総開口面積も１２．５６ｍｍ２となっている。
【００１２】
そして、上記シャワー散水孔群Ｂにあっては、係止リング１６に近い中央寄りに、多数の散水孔１１…を環状に配置した環状の散水孔列１２が２列に形成されている。この中央寄りの環状散水孔列１２は、これら小孔を通って流れた水が散水板１０の中心線Ｏ−Ｏに向かうように形成されている。このような噴射の向きは、各小孔の開口軸線を上記散水板１０の中心線Ｏ−Ｏに向かわせるように傾斜して形成することで実現可能である。
また、上記中央寄りの環状散水孔列１２の外側には、多数の散水孔１１…を環状に配置した第１の外側環状散水孔列１３および同じく多数の散水孔１１…を環状に配置した第２の外側環状散水孔列１４が形成されている。
上記第１の外側環状散水孔列１３は、中央寄りの環状散水孔列１３に近い位置に２列に形成されており、下向きの噴射をなすように開口されている。この場合、各小孔の周方向の間隔は１．０ないし１．２ｍｍ程度となっている。
上記第２の外側環状散水孔列１４は、散水板１０の外周に近い位置に１列に形成されており、これら小孔も下向きの噴射をなすように開口されている。この場合、各小孔の周方向の間隔は０．８ないし１．０ｍｍ程度に形成されている。
なお、上記第１の外側環状散水孔列１３と第２の外側環状散水孔列１４の間には、複数の散水孔１１…が適宜な間隔で分散して形成されている。
【００１３】
上記のように、ストレート散水孔群Ａおよびシャワー散水孔群Ｂが一体に形成された散水板１０は、浄水器本体１のストレート吐出口８およびシャワー吐出口９に取り付けられる。この場合、散水板１０は、そのストレート散水孔群Ａとシャワー散水孔群Ｂとの境界部分に前記前記係止リング１６をインサート成形にて一体に取着し、この前記係止リング１６をストレート吐出口８の周壁にねじ止めまたはバヨネット結合にて固定するとともに、散水板１０の周縁部が、シャワー吐出口９の周壁に螺合される固定ナット１５で押さえられて固定されるようになっている。なお、１７はインサート成形の係止リング１６が貫通する貫通孔、１８はシール材である。
この場合、散水板１０は、周辺が若干上向きに湾曲され、つまり中央部が下向きに出っ張るように湾曲され、これにより第１の外側環状散水孔列１３および第２の外側環状散水孔列１４より噴射された水が、直下よりもやや外向きに広がるように形成されている。
【００１４】
このような構成のストレート吐出口８およびシャワー吐出口９には、切換弁６の操作によりそれぞれ水道水（原水）または浄水が供給される。前記切換弁６は、操作ハンドル７の操作により４通りの切換が可能であり、その１つは、水道蛇口５から導入した水道水をそのまま原水としてストレート吐出口８に流す場合であり、２つ目は、水道蛇口５から導入した水道水をそのまま原水としてシャワー吐出口９に流す場合である。そして、３つ目としては、水道蛇口５から導入した水道水を図１に示す送り通路２０を通して浄化部２に送り、この浄化部２で浄化された浄水を戻り通路２１を通じて切換弁６に戻し、この浄水をストレート吐出口８に流す場合である。さらに、４つ目としては、水道蛇口５から導入した水道水を送り通路２０を経て浄化部２に送り、この浄化部２で浄化された浄水を戻り通路２１を介して切換弁６に戻し、この浄水をシャワー吐出口９に流す場合である。
すなわち、本例の切換弁６は、操作ハンドル７の操作により、原水ストレート、原水シャワー、浄水ストレート、浄水シャワーの４種の吐出形態に切換可能になっている。そして、ストレート吐出口８は原水と浄水のストレート吐出に共用されるとともに、シャワー吐出口９は原水と浄水のシャワー吐出に共用されるようになっている。
【００１５】
このような構成による実施例の浄水器について作用を説明する。
浄水器本体１を水道蛇口５に取り付け、蛇口５を開けると水道水（原水）が切換弁６に導かれる。
「原水ストレート」
操作ハンドル７を操作して切換弁６を原水ストレートの位置にすると、原水が切換弁６を通り、ストレート吐出口８に供給される。よって、この原水は、散水板１０のストレート散水孔群Ａを通って下方に噴射される。
この場合、ストレート散水孔群Ａは円形の小さな範囲に多数の散水孔１１…を集中的に形成し、しかもこれら各散水孔１１…は下向きに開口しているので、このストレート散水孔群Ａより吐出される噴射水は、図４に示す通り、所定の大きさの水の束として真っ直ぐに落下する。ゆえに、ストレート水となる。
しかも、ストレート散水孔群Ａは直径０．２ｍｍの小孔を合計４００個開設して総開口面積が１２．５６ｍｍ２となっているので、開口が従来の浄水器のストレート開口に比べて絞られていることになり、これによりストレート吐出口８内の水圧が高くなって高い圧力で水が噴射され、高速噴射になる。よって、このストレート吐出水は被洗浄物に対する洗浄力が増す。
また、この場合、総開口面積が絞られていることから、水の勢いが強くなるにも拘わらず、従来に比べて水量を少なくすることができ、水道水の使用量を節減することができる。
【００１６】
「原水シャワー」
次に操作ハンドル７を操作して切換弁６を原水シャワーの位置に切り換えると、原水が切換弁６を通り、シャワー吐出口９に供給される。よって、この原水は、散水板１０のシャワー散水孔群Ｂを通って下方に噴射される。
シャワー散水孔群Ｂは、中央寄りの環状散水孔列１２と、その外側に形成した第１の外側環状散水孔列１３および最も外側の第２の外側環状散水孔列１４を有し、かつ第１の外側環状散水孔列１３と第２の外側環状散水孔列１４の間に複数の散水孔１１…を適宜な間隔で形成してあるから、シャワー吐出口９内の水がこれら散水孔１１…よりそれぞれ分散して噴射される。この噴射時には、図５に示す通り、第１の外側環状散水孔列１３および第２の外側環状散水孔列１４から噴射される水１３ａ、１４ａが外に広がるので着地面では広い面積に当たるようになり、シャワー水として作用する。
また、中央寄りの環状散水孔列１２より噴射される水１２ａは、散水板１０の中心線Ｏ−Ｏに向かい、着地面Ｅにおいて散水板１０の中心線Ｏ−Ｏ近傍に噴射される。このことから、中心部にストレート吐出口８が存在するにも拘わらずシャワー吐出のときにストレート吐出口８直下の領域にも水を噴射するようになり、よって噴射面積の空洞化が防止されて広い被洗浄面にまんべんなく水を当てることができる。このことからシャワー吐出時の洗浄作用が向上する。
そしてこの場合も、シャワー散水孔群Ｂの総開口面積は１２．５６ｍｍ２となっており、この開口面積は従来の浄水器のシャワー開口に比べて絞られていることになり、これによりシャワー吐出口９内の水圧が高くなって高い圧力で水が噴射され、高速噴射になる。よって、このシャワー吐出水も被洗浄物に対する洗浄力が増す。
さらにこの場合、総開口面積が絞られていることから、水の勢いが強くなるにも拘わらず、従来に比べて水量を少なくすることができ、水道水の使用量を節減することができる。
【００１７】
「浄水ストレート」
さらに、操作ハンドル７を操作して切換弁６を浄水ストレートに切り換えると、原水は切換弁６を通り、送り通路２０を通して浄化部２に送られ、この浄化部２で浄化される。そして浄化部２で浄化された水は戻り通路２１を通じて切換弁６に戻り、この切換弁６を経てストレート吐出口８に送られる。よって、この浄水はストレート吐出口８から、散水板１０のストレート散水孔群Ａを通って下方にストレート噴射される。
この浄水ストレートの吐出状態は、上記原水ストレートの場合と同じである。
「浄水シャワー」
そしてまた、さらに操作ハンドル７を操作して切換弁６を浄水シャワーに切り換えると、原水は切換弁６を通り、送り通路２０を通して浄化部２に送られ、この浄化部２で浄化された後、戻り通路２１を通じて切換弁６に戻り、この切換弁６を経てシャワー吐出口９に送られる。よって、この浄水はシャワー吐出口９から、散水板１０のシャワー散水孔群Ｂを通って下方にシャワー噴射される。
この浄水シャワーの吐出状態は、上記原水シャワーの場合と同じである。
【００１８】
ところで、本実施例では、シャワー散水孔群Ｂは、孔径の小さな散水孔１１…を４００個開口し、総開口面積を１２．５６ｍｍ２としてあるから、この開口面積は従来の浄水器に比べて小さく、これによりシャワー吐出口９内の水圧が高くなって各散水孔１１…より噴射される水は高速噴射になる。このため被洗浄面に対し水が勢いよく衝突し、よって被洗浄物に対する洗浄力が増す。
しかし、各噴射孔１１…から噴射される噴射水の噴射エネルギーが高くなると、これら噴射流は洗浄面に衝突した後跳ね返り、このため跳ね返り水で作業周辺が水浸しになることがある。これに対し、本例では、中央寄りの環状散水孔列１２を囲んでその周囲に第１の外側環状散水孔列１３および第２の外側環状散水孔列１４を設けたので、これら第１の外側環状散水孔列１３および第２の外側環状散水孔列１４から噴射される水１３ａ，１４ａが水の壁を作る。特に、これら第１の外側環状散水孔列１３および第２の外側環状散水孔列１４は、各散水孔の間隔が１．０ないし１．２ｍｍ程度および０．８ないし１．０ｍｍ程度に形成されているので、噴射された水流は円周方向に隣り合う間隔が小さく、よって水の円錐形カーテンとなる。このため、それそれ内側の噴射流が跳ね返っても、それぞれ外側に位置する二重の水のカーテンで跳ね返り水の飛散を阻止し、よって作業周囲が跳ね返り水で濡れるのを防止する。
【００１９】
加えて、着地面Ｅにおいては、中央寄りの環状散水孔列１２より噴射される水１２ａは中心線Ｏ−Ｏ近傍に着地し、ここに着地した水は着地面Ｅに沿って放射方向に向かって広がるように流れる。これに対し、第１の外側環状散水孔列１３から噴射された水１３ａは上記中心線近傍に着地する水を囲んでその周囲に円形に着地する。この円形に着地した水は着地面Ｅに沿って内側および外側に向かって流れる。このとき、内側に向かって流れる水は上記中心線近傍に着地した水の流れとぶつかり、干渉する。換言すれば、第１の外側環状散水孔列１３から噴射された水１３ａによって形成された円形の着地部分は、中心線近傍に着地した水の流出を阻害する。このため、第１の外側環状散水孔列１３から噴射された水１３ａの着地部分は、これで囲んだ内側の領域の水が外に流れ出すのを抑制し、この円形領域に想像線Ｗ１で示すような水溜まりを作り出すことになる。したがって、中心線Ｏ−Ｏ近傍に着地した水は、この水溜まりに衝突する。水滴が水溜まりに落下したとき、水の落下エネルギーが水溜まりに吸収されて緩和される現象があるので、上記水溜まりは噴射水の衝撃を吸収することになり、よって中心線Ｏ−Ｏ近傍に着地した水の跳ね返りが防止されることになる。
そして、第２の外側環状散水孔列１４から噴射された水１４ａが着地したときにつくる円形の着地水は、その内側に位置する中央寄りの環状散水孔列１２より噴射される水１２ａおよび第１の外側環状散水孔列１３から噴射された水１３ａが着地面Ｅに沿って流出する抵抗になり、よってこの第２の外側環状散水孔列１４より噴射された水１４ａも着地面に水溜まりＷ２を作ることになる。このため第１の外側環状散水孔列１３から噴射された水１３ａは水溜まりＷ２によって跳ね返りが防止すされる。
さらに、第２の外側環状散水孔列１４から噴射された水１４ａが着地する箇所は、内側の水溜まりＷ１およびＷ２より着地面Ｅに沿って外側に流れる水で覆われるから、第２の外側環状散水孔列１４から噴射された水１４ａも直接着地面Ｅに衝突することなく着地面Ｅ上の水面に衝突することになる。よって、第２の外側環状散水孔列１４から噴射された水１４ａも衝突エネルギーが吸収され、跳ね返りが防止される。
このようなことから、水の噴射速度が高いにも拘わらず、跳ね返りが抑制されることになる。
【００２０】
上記のような散水板１０は、孔径が小さな散水孔１２…を多数個開口してあるが、このような散水板はステンレス薄板をフォトエッチング加工することで容易に得られ、かつ量産も可能である。
なお、上記実施例では、原水を浄化部２で浄化したのちこの浄水をストレート吐出口８またはシャワー吐出口９に導き、これらストレート吐出口８またはシャワー吐出口９より放出するようにしたが、本発明はこれに限らず、前記した特開平７−１１６６５７号公報等にも示されるように、浄化部２の下面に吐出口を設けておき、浄化部２で浄化された浄水をこの吐出口より放出させるようにしてもよい。この場合、切換弁は、原水をストレート吐出口に導く原水ストレート、原水をシャワー吐出口に導く原水シャワーおよび原水を浄化部２へ導いて浄化部２の下面に形成した吐出口より吐出させる浄水吐出、の３種類の切り換え機能を備えたものでよい。
また、上記実施例では、１枚の散水板１０にストレート散水孔群Ａとシャワー散水孔群Ｂを一体に形成した例を説明したが、ストレート吐出は散水板を用いずに泡沫吐出であってもよいので、実施例に限らない。
【００２１】
【発明の効果】
以上説明した通り本発明によれば、散水板の散水孔より噴射される噴射水の一部が散水板の中心線に向かって集まるようにしたので、着地面の中心部にも水が当たるようになり、よって着地面の広い面積にまんべんなく水が当たるため洗浄効果が高くなる。
【図面の簡単な説明】
【図１】本発明の一実施例を示し、蛇口直結型浄水器の概略的構成図
【図２】同実施例のストレート吐出口及びシャワー吐出口を拡大した断面図
【図３】同実施例の散水板の平面図
【図４】同実施例のストレート吐出状態を示す図、
【図５】同実施例のシャワー吐出状態を示す図
【符号の説明】
１…浄水器本体
２…浄化部
５…水道蛇口
６…切換弁
８…ストレート吐出口
９…シャワー吐出口
１０…散水板
１１…散水孔
Ａ…ストレート散水孔群
Ｂ…シャワー散水孔群
１２…中央寄り環状散水孔列
１３…第１の外側環状散水孔列
１４…第２の外側環状散水孔列
【図１】
2004230360.tif 000003
【図２】
2004230360.tif 000004
【図３】
2004230360.tif 000005
【図４】
2004230360.tif 000006
【図５】
2004230360.tif 000007